(57)【要約】【課題】エアーフィルターの交換の際に必要となるスペースの省スペース化を図り、また、塵埃の筺体内部への侵入を抑制し、エアーフィルターの交換における利便性を向上させるプロジェクターを提供する。【解決手段】プロジェクター１は、外装を構成する筺体１０と、筺体１０内部に吸気される外気に含まれる塵埃を付着させるエアーフィルター４と、外気を吸気する吸気口５１と、筺体１０に着脱自在に保持されるケース保持部５２と、エアーフィルター４を着脱自在に保持するフィルター保持部５３と、を有する吸気ケース５と、を備える。また、吸気ケース５及びエアーフィルター４は、エアーフィルター４のフィルター面に略垂直方向に、筺体１０から分離される。【選択図】図２
2012123082.tif 000002
【特許請求の範囲】
【請求項１】
プロジェクターであって、
前記プロジェクターの外装を構成する筺体と、
前記筺体内部に吸気される外気に含まれる塵埃を付着させるエアーフィルターと、
前記外気を吸気する吸気口と、前記筺体に着脱自在に保持されるケース保持部と、前記エアーフィルターを着脱自在に保持するフィルター保持部と、を有する吸気ケースと、
を備えることを特徴とするプロジェクター。
【請求項２】
請求項１に記載のプロジェクターであって、
前記吸気ケース及び前記エアーフィルターは、当該エアーフィルターのフィルター面に略垂直方向に、前記筺体から分離されることを特徴とするプロジェクター。
【請求項３】
請求項１または請求項２に記載のプロジェクターであって、
前記ケース保持部は、
前記筺体に係合するケース係合部と、
前記ケース係合部を操作する操作部と、
前記ケース係合部を前記筺体に係合させる付勢部と、を備えることを特徴とするプロジェクター。
【請求項４】
請求項１〜請求項３のいずれか一項に記載のプロジェクターであって、
前記フィルター保持部は、前記エアーフィルターに係合するフィルター係合部を備えていることを特徴とするプロジェクター。
【請求項５】
請求項４に記載のプロジェクターであって、
前記フィルター係合部は、前記ケース保持部の動作に連動し、
前記操作部は、前記付勢部の付勢力に抗することで、前記ケース係合部を前記筺体との係合から解除させると共に、前記フィルター係合部を前記エアーフィルターと係合させ、
前記操作部は、前記付勢部の前記付勢力により、前記ケース係合部を前記筺体に係合させると共に、前記フィルター係合部を前記エアーフィルターとの係合から解除させることを特徴とするプロジェクター。
【請求項６】
請求項５に記載のプロジェクターであって、
前記フィルター保持部は、前記ケース保持部と一体に形成されていることを特徴とするプロジェクター。
【請求項７】
請求項１〜請求項６のいずれか一項に記載のプロジェクターであって、
前記吸気ケースに前記エアーフィルターが保持された場合、前記吸気ケースと前記エアーフィルターとの間には、空間領域が形成されることを特徴とするプロジェクター。
【発明の詳細な説明】
【技術分野】
【０００１】
本発明は、プロジェクターに関する。
【背景技術】
【０００２】
従来、光源からの光を画像信号に基づき変調して画像を投写するプロジェクターが知られている。このようなプロジェクターは、光源や光変調装置などが発熱するため、冷却機構が用いられている。冷却機構は、外気を吸気するための冷却ファンや、冷却ファンが外気を吸気した際に外気に含まれる塵埃を除去するためのエアーフィルターなどが設けられている。
【０００３】
特許文献１では、プロジェクターの外装ケースに、複数の通気孔を有する凹状のエアーフィルター収納凹部を設け、エアーフィルター収納凹部にエアーフィルターを収納した後、エアーフィルター収納凹部の開口面に、係止により着脱自在で複数の通気口を有するエアーフィルター交換蓋を取り付けるように構成し、エアーフィルター交換蓋の着脱によりエアーフィルター収納凹部からエアーフィルターを取り出し自在とする構造が、開示されている。なお、特許文献１において、エアーフィルターを交換する際には、エアーフィルター交換蓋の係止を解除して開口面から取り外した後、エアーフィルター収納凹部からエアーフィルターを取り出して交換する。
【０００４】
また、従来のプロジェクターにおける他のエアーフィルター周りの構造として、図６に、エアーフィルター及びカバー蓋の構造を示す。
図６（ａ）では、カバー蓋８００には、複数の吸気口８０１が形成され、一辺側が外装ケース９００に回動自在に軸支され、対向する辺側に形成した係止部８０２により、外装ケース９００に係止されて固定されている、また、エアーフィルター８１０が、外周をフィルター枠８１１により固定され、外装ケース９００の凹部９０１に対し、また、カバー蓋８００に相対して組み込まれる構造となっている。
【０００５】
この構造では、エアーフィルター８１０を交換する場合、図６（ａ）に示すように、カバー蓋８００の係止を解除して、カバー蓋８００を外装ケース９００に対して回転させて開いた後、フィルター枠８１１の把持部８１２を持って凹部９０１から抜き出す。その後、新たなエアーフィルター８１０を凹部９０１に挿入した後、カバー蓋８００を回転させて係止する。
【０００６】
また、図６（ｂ）では、複数の吸気口８５１が形成されるカバー蓋８５０は、底面９５０ａを構成する外装ケース９５０に一体で形成されている。エアーフィルター８６０は、外周をフィルター枠８６１により固定され、カバー蓋８５０に相対する部位で、外装ケース９５０の側面９５０ｂに形成した挿入口９５１からスライド自在に着脱される構造となっている。
【０００７】
この構造では、エアーフィルター８６０を交換する場合、図６（ｂ）に示すように、フィルター枠８６１に形成される把持部８６２を持って挿入口９５１から側面９５０ｂ方向にスライドさせて取り外す。そして、新たなエアーフィルター８６０を挿入口９５１から挿入し、スライドさせることで、エアーフィルター８６０をカバー蓋８５０に相対する部位に固定する。
【先行技術文献】
【特許文献】
【０００８】
【特許文献１】特開２００４−１０９７８１号公報
【発明の概要】
【発明が解決しようとする課題】
【０００９】
しかし、特許文献１では、エアーフィルター収納凹部からエアーフィルターを取り出す場合、エアーフィルター交換蓋を取り外した後、エアーフィルターを交換する構造であるため、エアーフィルターの交換の利便性に課題がある。また、エアーフィルターの面に付着した塵埃をエアーフィルター収納凹部に落とし易いという課題がある。なお、塵埃がエアーフィルター収納凹部に入り込んだ場合には、冷却ファンで冷却される例えば光変調装置などの表面に塵埃が付着することにより、投写される画像に影などが映り込むことや、投写画像のコントラストが低下するなど、投写画像品質の低下につながる。
【００１０】
また、図６（ａ）の構造では、エアーフィルター８１０を交換する場合、カバー蓋８００の係止を解除して、カバー蓋８００を回転させて開く必要があり、カバー蓋８００の大きさ（長さＬ１）に対応するスペースを確保する必要がある。このため、プロジェクター９８０を壁際に設置する際、壁からの距離を離さなければならないという課題がある。また、カバー蓋８００を開放した後、エアーフィルター８１０を交換する構造であるため、エアーフィルター８１０の交換の利便性に課題がある。
【００１１】
また、図６（ｂ）の構造では、エアーフィルター８６０を交換する場合、フィルター枠８６１の把持部８６２を操作して、挿入口９５１から側面９５０ｂ方向にスライドさせて取り外す。このとき、外装ケース９５０とエアーフィルター８６０との隙間が適切に確保されていない場合には、エアーフィルター８６０の面に付着した塵埃が外装ケース９５０と摺れて、プロジェクター９９０内部に塵埃を落としてしまうという課題がある。また、スライドして着脱する構造であるため、エアーフィルター８６０の大きさ（長さＬ２）に対応するスペースを確保する必要があり、スペースは広くなるという課題がある。
従って、エアーフィルターの交換の際に必要となるスペースの省スペース化を図り、また、塵埃の筺体内部への侵入を抑制し、エアーフィルターの交換における利便性を向上させるプロジェクターが要望されていた。
【課題を解決するための手段】
【００１２】
本発明は、上述した課題の少なくとも一部を解決するためになされたものであり、以下の形態または適用例として実現することが可能である。
【００１３】
（適用例１）本適用例に係るプロジェクターは、（１）プロジェクターの外装を構成する筺体と、（２）筺体内部に吸気される外気に含まれる塵埃を付着させるエアーフィルターと、（３）外気を吸気する吸気口と、筺体に着脱自在に保持されるケース保持部と、エアーフィルターを着脱自在に保持するフィルター保持部と、を有する吸気ケースと、を備えることを特徴とする。
【００１４】
このようなプロジェクターによれば、エアーフィルター交換時など、エアーフィルターを筺体から取り外す際、ケース保持部を解除することにより、吸気ケースを筺体から取り外す。また、吸気ケースを筺体から取り外すことで、同時に、フィルター保持部に保持されるエアーフィルターも筺体から取り外すことができる。これにより、エアーフィルターの取り外しに手間がかからない。その後、取り外した吸気ケースのフィルター保持部からエアーフィルターを取り外す。従って、エアーフィルターの交換における利便性を向上させることができる。また、吸気ケースを筺体から取り外すことで、エアーフィルターも筺体から取り外すことができるため、エアーフィルターに付着した塵埃をプロジェクター内部に落とすことを低減することができ、塵埃の筺体内部への侵入を抑制することができる。
【００１５】
（適用例２）上記適用例に係るプロジェクターにおいて、吸気ケース及びエアーフィルターは、エアーフィルターのフィルター面に略垂直方向に、筺体から分離されることが好ましい。
【００１６】
このようなプロジェクターによれば、フィルター面に略垂直方向に吸気ケースが筺体から分離されて取り外されることにより、取り外しに必要なスペースを小さくすることができる。従って、エアーフィルター交換の際に必要となるスペースの省スペース化を図ることができる。
【００１７】
（適用例３）上記適用例に係るプロジェクターにおいて、ケース保持部は、筺体に係合するケース係合部と、ケース係合部を操作する操作部と、ケース係合部を筺体に係合させる付勢部と、を備えることが好ましい。
【００１８】
このようなプロジェクターによれば、ケース保持部は、ケース係合部と操作部と付勢部とを備える。操作部が付勢部の付勢力に抗することで、ケース係合部を筺体との係合から解除させることが、ケース保持部の簡易な構成で実現することができる。
【００１９】
（適用例４）上記適用例に係るプロジェクターにおいて、フィルター保持部は、エアーフィルターに係合するフィルター係合部を備えていることが好ましい。
【００２０】
このようなプロジェクターによれば、フィルター保持部は、フィルター係合部を備えることで、簡易な構成で実現できる。
【００２１】
（適用例５）上記適用例に係るプロジェクターにおいて、フィルター係合部は、ケース保持部の動作に連動し、操作部は、付勢部の付勢力に抗することで、ケース係合部を筺体との係合から解除させると共に、フィルター係合部をエアーフィルターと係合させ、操作部は、付勢部の付勢力により、ケース係合部を筺体に係合させると共に、フィルター係合部をエアーフィルターとの係合から解除させることが好ましい。
【００２２】
このようなプロジェクターによれば、操作部が付勢部の付勢力に抗することで、ケース係合部を筺体との係合から解除させる。併せて、操作部がフィルター係合部をエアーフィルターに係合させる。これにより、吸気ケースを筺体から取り外した場合、併せてエアーフィルターも筺体から取り外すことができる。また、操作部が付勢部の付勢力により、ケース係合部を筺体と係合させる。併せて、操作部がフィルター係合部をエアーフィルターとの係合から解除させる。これにより、吸気ケースを筺体から取り外した場合、操作部の操作を止めることにより、フィルター係合部とエアーフィルターとの係合が外れることで、吸気ケースからエアーフィルターを簡単に取り外すことができる。従って、エアーフィルターの交換における利便性を更に向上させることができる。
【００２３】
（適用例６）上記適用例に係るプロジェクターにおいて、フィルター保持部は、ケース保持部と一体に形成されていることが好ましい。
【００２４】
このようなプロジェクターによれば、ケース保持部の動作に連動して、容易にフィルター保持部を動作させることができる。
【００２５】
（適用例７）上記適用例に係るプロジェクターにおいて、吸気ケースにエアーフィルターが保持された場合、吸気ケースとエアーフィルターとの間には、空間領域が形成されることが好ましい。
【００２６】
このようなプロジェクターによれば、エアーフィルターに付着しきれない塵埃や、吸気ケースを筺体から取り外す際にエアーフィルターからこぼれる塵埃を空間領域に集めることができ、塵埃をプロジェクター内部に落とすことを更に低減することで、塵埃の筺体内部への侵入を更に抑制することができる。
【図面の簡単な説明】
【００２７】
【図１】第１実施形態に係る光学ユニット及び冷却機構を模式的に示す平面図。
【図２】第１実施形態に係る吸気ケース及びエアーフィルターの構造を示す図。
【図３】吸気ケースを筺体に設置した概断面図。
【図４】第２実施形態に係る吸気ケース及びエアーフィルターの構造を示す図。
【図５】吸気ケース及びエアーフィルターの構造を示す図。
【図６】従来のプロジェクターにおけるエアーフィルター及びカバー蓋の構造を示す図。
【発明を実施するための形態】
【００２８】
以下、実施形態を図面に基づいて説明する。
（第１実施形態）
【００２９】
図１は、第１実施形態に係る光学ユニット２及び冷却機構３を模式的に示す平面図である。図１を参照して、プロジェクター１の光学ユニット２及び冷却機構３の構成及び動作を簡略に説明する。
【００３０】
プロジェクター１は、光源装置２１（光源ランプ２１１）から射出された光束を光変調装置（液晶パネル２５２）で画像情報に基づいて変調し、投写レンズ装置２６でスクリーンＳＣに拡大投写する装置である。プロジェクター１の筺体１０内部には、光学ユニット２、冷却機構３、プロジェクター１の動作を統括制御する制御部（図示省略）を含む回路構成部（図示省略）などを備えている。
【００３１】
本実施形態の光学ユニット２は、光源装置２１、照明光学装置２２、色分離光学装置２３、リレー光学装置２４、光学装置２５、投写レンズ装置２６、及び光学部品用筺体２７を備えている。
【００３２】
光源装置２１は、光源ランプ２１１及びリフレクター２１２を有している。光源装置２１は、光源ランプ２１１の発光による光束をリフレクター２１２で反射させて、照明光学装置２２に射出するものである。なお、本実施形態の光源ランプ２１１は、超高圧水銀ランプなどの放電式ランプを採用している。
【００３３】
照明光学装置２２は、光源装置２１から射出された光束に対し、照明光軸Ｌに直交する面内での照度を均一化するためのものである。照明光学装置２２は、レンズアレイ２２１，２２２、偏光変換素子２２３、及び重畳レンズ２２４を有している。また、照明光学装置２２は、３つのフィールドレンズ２２５を有している。フィールドレンズ２２５は、光学装置２５の３つの光変調装置の手前に配置され、レンズアレイ２２２から射出された各部分光束をその中心軸に対して平行な光束に変換する。
【００３４】
色分離光学装置２３は、照明光学装置２２からの照明光束を赤色（Ｒ）光、緑色（Ｇ）光、及び青色（Ｂ）光の３つの色光に分離して、対応する３つの光変調装置に導光するものである。色分離光学装置２３は、ダイクロイックミラー２３１，２３２、及び反射ミラー２３３を有している。
【００３５】
リレー光学装置２４は、色分離光学装置２３で分離された色光（本実施形態ではＲ光）に対し、光路の長さが他の色光の光路の長さよりも長くなるため、光の発散などによる光の利用効率の低下を防止し、光変調装置（本実施形態ではＲ光用光変調装置）まで導くものである。リレー光学装置２４は、入射側レンズ２４１、リレーレンズ２４３、及び反射ミラー２４２，２４４を有している。
【００３６】
光学装置２５は、各光変調装置に入射した各色光を画像信号に基づいて変調し、色合成光学装置で合成するものである。光学装置２５は、光変調装置を構成する３つの液晶パネル２５２、３つの入射側偏光板２５１、３つの射出側偏光板２５４、及び色合成光学装置としてのクロスダイクロイックプリズム２５５を有している。また、３つの液晶パネル２５２は、Ｒ光用光変調装置としてのＲ光用液晶パネル２５２Ｒ、Ｇ光用光変調装置としてのＧ光用液晶パネル２５２Ｇ、及びＢ光用光変調装置としてのＢ光用液晶パネル２５２Ｂで構成されている。なお、本実施形態の光変調装置を構成する３つの液晶パネル２５２は透過型を採用している。
【００３７】
投写レンズ装置２６は、投写レンズ２６１を有し、光学装置２５（色合成光学装置）で合成された画像光をスクリーンＳＣに拡大投写する。なお、投写レンズ装置２６は、入射する画像光をズーム調整及びフォーカス調整する機能を有する。投写レンズ２６１は、１つ又は複数のレンズを１つのレンズ群として、複数のレンズ群を備えている。
【００３８】
光学部品用筺体２７は、内部に所定の照明光軸Ｌが設定され、上述した各光学装置２１〜２５を照明光軸Ｌに対する所定位置に収納する。なお、上述した各光学装置２１〜２６に関しては、種々の一般的なプロジェクターの光学系として利用されているため、詳細な説明を省略する。
【００３９】
冷却機構３は、光学ユニット２で発熱する光学部品（光源装置２１、偏光変換素子２２３、光学装置２５など）に対して、筺体１０内部に外気を導入して冷却する機構である。また、併せて、回路構成部で発熱する電気部品なども冷却する。冷却機構３は、筺体１０側面に設置されて外気を導入（吸気）する吸気ケース５と、外気に含まれる塵埃を除去するエアーフィルター４と、吸気した外気を冷却する光学部品に流動するダクト（図示省略）と、外気の吸気や、流動や、冷却する光学部品への吹き付けの動力源となる冷却ファン３０などを備えて構成される。なお、冷却機構３は、図示省略するが、発熱する部品から熱を奪って温まった筺体１０内部の空気を筺体１０外部（プロジェクター１の外部）に排気することも行う。冷却機構３が動作することにより、プロジェクター１内部の温度を適正に保持することができる。
【００４０】
図２は、第１実施形態に係る吸気ケース５及びエアーフィルター４の構造を示す図であり、図２（ａ）は、吸気ケース５にエアーフィルター４を保持させた斜視図を示し、図２（ｂ）は、吸気ケース５及びエアーフィルター４の分解斜視図である。図３は、吸気ケース５を筺体１０に設置した概断面図である。
【００４１】
なお、図２を含めて以降で説明する図は、便宜上、ＸＹＺ直交座標系を用いて示す。詳細には、プロジェクター１において、吸気ケース５（以降の第２実施形態で示す吸気ケース６も含める）が設置される筺体１０の側面１ｃに垂直方向をＸ軸方向（外面方向を＋Ｘ方向）。Ｘ軸に垂直で、プロジェクター１の底面１ｂから上面１ａ方向をＺ軸方向（上面１ａ方向を＋Ｚ方向）。Ｘ軸とＺ軸に垂直で、プロジェクター１の側面１ｃを正面視した場合の左右方向をＹ軸方向（右方向を＋Ｙ方向）とする。
【００４２】
図２に示すように、吸気ケース５は、矩形の略板状に形成される吸気ケース本体５０を有している。また、吸気ケース５（吸気ケース本体５０）は、外気を吸気するための複数の吸気口５１と、筺体１０に着脱自在に保持されるケース保持部５２と、エアーフィルター４を着脱自在に保持するフィルター保持部５３とを備えている。ケース保持部５２は、筺体１０に係合するケース係合部５２０と、操作部５２５と、弾性変形部５２８と、フィルター受部５２６とを備えている。
【００４３】
吸気ケース本体５０には、吸気口５１の上側（＋Ｚ方向）に、長孔となる開口部５２９が形成されている。そして、弾性変形部５２８は、開口部５２９と吸気ケース本体５０の上側外周との間に形成される。弾性変形部５２８は、吸気ケース５を着脱する際に弾性変形させる部分となる。操作部５２５は、この弾性変形部５２８の表面側（＋Ｘ方向）に突出して形成されている。操作部５２５は、吸気ケース５を着脱する際に操作する部分となる。
【００４４】
ケース係合部５２０は、弾性変形部５２８の裏面側（−Ｘ方向）で、突出して形成される一対の第１係合片５２１を備えている。また、ケース係合部５２０は、吸気ケース本体５０の下側（−Ｚ方向）外周近傍に突出して形成される一対の第２係合片５２２を備えている。フィルター受部５２６は、第１係合片５２１と第２係合片５２２との内側で、吸気口５１と開口部５２９とを囲み、エアーフィルター４のフィルター枠４２の外形に対応させて突出して形成されている。
【００４５】
フィルター保持部５３は、フィルター受部５２６のＹ軸方向の両辺略中央部に、突出して形成される一対のフィルター係合部５３０（フィルター係合片５３１）を備えている。
【００４６】
エアーフィルター４は、プリーツ加工されたフィルター本体４１と、フィルター本体４１の外周部を固定する矩形の筒状に形成されたフィルター枠４２とで構成される。エアーフィルター４は、フィルター枠４２の内周部とフィルター本体４１の外周部とが一体に固定されている。
【００４７】
ここで、吸気ケース５にエアーフィルター４を装着する方法に関して説明する。
吸気ケース５のフィルター受部５２６に相対させてエアーフィルター４の位置を合わせ、エアーフィルター４のフィルター枠４２の一方の辺を、吸気ケース５の対応する一方のフィルター係合片５３１に差込む。そして、フィルター枠４２の他方の辺を、対応する他方のフィルター係合片５３１に押し込む。これにより、フィルター係合片５３１は、フィルター枠４２と係合する。
【００４８】
この動作により、吸気ケース５のフィルター受部５２６にエアーフィルター４を設置すると共に、一対のフィルター係合片５３１でエアーフィルター４を保持することができる。この動作により、エアーフィルター４を交換した際、新しいエアーフィルター４を吸気ケース５へ取り付けることができる。
【００４９】
また、エアーフィルター４を吸気ケース５から取り外す場合は、上述した手順とは逆の手順で取り外す。詳細には、一方のフィルター係合片５３１に係合されているフィルター枠４２の辺部をフィルター係合片５３１の係合力に抗して持ち上げることで、係合が解除される。又は、一方のフィルター係合片５３１の先端部を指先などで解除する方向に開くことでも解除できる。これにより、エアーフィルター４を吸気ケース５から取り外すことができる。この動作により、エアーフィルター４を交換する際、古いエアーフィルター４を吸気ケース５から取り外すことができる。
【００５０】
なお、エアーフィルター４を吸気ケース５に装着（保持）した場合、図３に示すように、吸気ケース５とエアーフィルター４との間には、空間領域Ｓ１が形成される。詳細には、吸気ケース本体５０の裏面側と、フィルター受部５２６と、エアーフィルター４（フィルター本体４１及びフィルター枠４２）とにより囲まれた空間領域Ｓ１が形成される。
【００５１】
次に、エアーフィルター４を保持した吸気ケース５を筺体１０に装着する方法に関して説明する。
図３に示すように、筺体１０の側面１ｃで略矩形の凹状に形成された収納凹部１１に、エアーフィルター４を保持した吸気ケース５を固定する。詳細には、収納凹部１１の下側（−Ｚ方向）に形成される一対の溝状の第２係合片受溝１１２に、吸気ケース５の第２係合片５２２を側面１ｃ方向から差し込む。次に、この第２係合片５２２を中心にして吸気ケース５を側面１ｃ側に回転させると共に、操作部５２５を指先などで押し下げる。
【００５２】
操作部５２５を押し下げた場合、弾性変形部５２８が開口部５２９側に撓んで弾性変形する。弾性変形部５２８の変形に従動して一対の第１係合片５２１も開口部５２９側に押し下げられる。この状態で、吸気ケース５を収納凹部１１内に挿入する。そして、操作部５２５の押し下げを止めると、弾性変形部５２８が初期の位置に戻ることにより、第１係合片５２１が収納凹部１１の上側（＋Ｚ方向）に形成された一対の溝状の第１係合片受溝１１１に係合する。これにより、吸気ケース５は、筺体１０に保持され、吸気ケース５を筺体１０に装着することができる。この動作により、エアーフィルター４を交換した際、新しいエアーフィルター４を装着した吸気ケース５を筺体１０に装着することができる。
【００５３】
なお、吸気ケース５を筺体１０に装着して、プロジェクター１を動作（使用）した場合、吸気口５１から吸気された外気に含まれる塵埃は、エアーフィルター４（フィルター本体４１）に付着し、プロジェクター１内部には、清浄化された外気が導入される。また、フィルター本体４１に付着しきれない塵埃は、上述した空間領域Ｓ１に集めることができる。
【００５４】
吸気ケース５を筺体１０から取り外す場合は、上述した手順とは逆の手順で取り外す。詳細には、操作部５２５を押し下げることにより、弾性変形部５２８を弾性変形させ、第１係合片５２１を第１係合片受溝１１１との係合から解除する。その後、第２係合片５２２を第２係合片受溝１１２との係合から解除させることで、吸気ケース５を筺体１０から取り外すことができる。この動作により、エアーフィルター４を交換する際、古いエアーフィルター４を装着した吸気ケース５を筺体１０から取り外すことができる。
【００５５】
なお、吸気ケース５を筺体１０から取り外す場合、吸気ケース５は、概ね、筺体１０（側面１ｃ）に対して、垂直方向に取り外すことになる。言い換えると、エアーフィルター４のフィルター面（プリーツ加工したフィルター本体４１を１枚の平らな面を持つフィルターとしてみた場合のその平面）に略垂直方向に、筺体１０から分離される。
【００５６】
上述した実施形態によれば、以下の効果が得られる。
本実施形態のプロジェクター１によれば、エアーフィルター４交換時などにおいて、エアーフィルター４を筺体１０から取り外す際、ケース保持部５２を解除することにより、吸気ケース５を筺体１０から取り外す。吸気ケース５を筺体１０から取り外すことで、同時に、フィルター保持部５３に保持されるエアーフィルター４も筺体１０から取り外すことができる。これにより、エアーフィルター４の取り外しに手間がかからない。その後、取り外した吸気ケース５のフィルター保持部５３（フィルター係合片５３１）からエアーフィルター４を取り外すことができる。従って、エアーフィルター４の交換における利便性を向上させることができる。また、吸気ケース５を筺体１０から取り外すことで、エアーフィルター４も筺体１０から取り外すことができるため、エアーフィルター４に付着した塵埃をプロジェクター１内部に落とすことを低減でき、塵埃の筺体１０内部への侵入を抑制することができる。
【００５７】
本実施形態のプロジェクター１によれば、吸気ケース５は、概ね、筺体１０（側面１ｃ）に対して、垂直方向に取り外すことにより、取り外しに必要なスペースを従来に比較して小さくすることができる。従って、エアーフィルター４の交換の際に必要となるスペースの省スペース化を図ることができる。従って、プロジェクター１を設置する際、吸気ケース５を壁などの障害物の近くに位置させることができ、プロジェクター１の設置場所の自由度の向上を図ることができる。
【００５８】
本実施形態のプロジェクター１によれば、ケース保持部５２は、ケース係合部５２０（第１係合片５２１、第２係合片５２２）と、操作部５２５と、弾性変形部５２８とを有し構成されている。このように、ケース保持部５２を簡易な構成で実現することができる。また、フィルター保持部５３は、フィルター係合部５３０（フィルター係合片５３１）を備えることでよいため、簡易な構成で実現できる。
【００５９】
本実施形態のプロジェクター１によれば、吸気ケース５にエアーフィルター４が保持された場合、吸気ケース５とエアーフィルター４との間には、空間領域Ｓ１が形成される。この空間領域Ｓ１により、エアーフィルター４に付着しきれない塵埃や、吸気ケース５を筺体１０から取り外す際に振動などでフィルター本体４１からこぼれる塵埃を空間領域Ｓ１に集めることができ、塵埃をプロジェクター１内部に落とすことを更に低減でき、塵埃の筺体１０内部への侵入を更に抑制することができる。
【００６０】
本実施形態のプロジェクター１によれば、筺体１０内部への塵埃の侵入を抑制できることにより、冷却ファン３０で冷却される例えば光変調装置としての液晶パネル２５２などの表面に塵埃が付着することを防止し、投写される画像に影などが映り込むことや、投写画像のコントラストが低下することなどによる投写画像品質の低下を防止することができる。
（第２実施形態）
【００６１】
図４は、第２実施形態に係る吸気ケース６及びエアーフィルター４の構造を示す図であり、図４（ａ）は、吸気ケース６を筺体１０に設置した概断面図であり、図４（ｂ）は、図４（ａ）での吸気ケース６及びエアーフィルター４の概平面図である。図５は、吸気ケース６及びエアーフィルター４の構造を示す図であり、図５（ａ）は、吸気ケース６を筺体１０から取り外す際の概断面図であり、図５（ｂ）は、図５（ａ）での吸気ケース６及びエアーフィルター４の概平面図である。図４、図５を参照して、吸気ケース６及びエアーフィルター４の構造と、吸気ケース６に対するエアーフィルター４の着脱動作及び筺体１０に対する吸気ケース６の着脱動作を説明する。
【００６２】
本実施形態のエアーフィルター４は、第１実施形態のエアーフィルター４と同様に構成される。本実施形態の吸気ケース６の構成が、第１実施形態の吸気ケース５と異なっている。従って、吸気ケース６を収納する収納凹部１２の構成も、第１実施形態の収納凹部１１と異なっている。なお、図４、図５において、第１実施形態と同様の構成には同様の符号を付記している。
【００６３】
図４、図５に示すように、本実施形態の吸気ケース６は、矩形の略板状に形成される吸気ケース本体６０を有している。また、吸気ケース６（吸気ケース本体６０）は、外気を吸気するための複数の吸気口６１と、筺体１０に着脱自在に保持されるケース保持部６２と、エアーフィルター４を着脱自在に保持するフィルター保持部６３とを備えている。また、ケース保持部６２とフィルター保持部６３とは、吸気ケース本体６０の上下方向（Ｚ軸方向）に設置されている。
【００６４】
ケース保持部６２は、筺体１０に係合するケース係合部６２０（ケース係合片６２１）と、ケース係合部６２０を操作する操作部６２５と、付勢部としてのコイルばね６２８と、フィルター受部６２６とを備えている。また、ケース保持部６２は、コイルばね６２８を案内して受けるばね受部６２７を備えている。フィルター保持部６３は、エアーフィルター４に係合するフィルター係合部６３０（フィルター係合片６３１）を備えている。
【００６５】
なお、ケース保持部６２が備えるケース係合部６２０、操作部６２５、及びフィルター受部６２６と、フィルター保持部６３が備えるフィルター係合片６３１とは、一体に形成されている。また、ケース保持部６２及びフィルター保持部６３は、吸気ケース本体６０とは別体で構成され、吸気ケース本体６０に形成される保持部用収納部６００内に摺動可能に設置されている。
【００６６】
吸気ケース本体６０には、複数の吸気口６１が形成される。また、吸気ケース本体６０は、裏面側（−Ｘ方向）に、吸気口６１を囲み、エアーフィルター４のフィルター枠４２の外形に対応させて突出して形成されるフィルター受部６２６を備えている。
【００６７】
また、吸気ケース本体６０には、その上下方向の端部近傍に上述した保持部用収納部６００が形成されている。この保持部用収納部６００には、吸気ケース本体６０の端部上方向（＋Ｚ方向）及び端部下方向（−Ｚ方向）に、ケース保持部６２のケース係合片６２１を案内する係合片案内孔６０１が形成されている。また、保持部用収納部６００には、吸気ケース本体６０の前面側（＋Ｘ方向）に、ケース保持部６２の操作部６２５を案内する操作部案内孔６０２が形成されている。
【００６８】
保持部用収納部６００に、ケース保持部６２及びフィルター保持部６３を設置する場合、操作部６２５を操作部案内孔６０２に挿通して突出させ、ケース係合片６２１を係合片案内孔６０１に挿通する。次に、ばね受部６２７とフィルター受部６２６との間にコイルばね６２８を設置する。なお、コイルばね６２８は、圧縮コイルばねで構成されている。
【００６９】
上述したように、保持部用収納部６００に、ケース保持部６２及びフィルター保持部６３を設置した場合、図４に示すように、コイルばね６２８の付勢力により、ケース係合片６２１は、係合片案内孔６０１から突出した状態となる。この状態のとき、フィルター係合片６３１は、エアーフィルター４のフィルター枠４２とは離間している。従って、フィルター係合片６３１は、エアーフィルター４を保持せず解除した状態となる。
【００７０】
なお、収納凹部１２には、図示省略するエアーフィルター受部が形成されている。このエアーフィルター受部は、エアーフィルター４を案内して収納凹部１２に簡易的に固定する。
【００７１】
ここで、吸気ケース６及びエアーフィルター４を筺体１０の収納凹部１２に装着する方法に関して説明する。なお、この方法は、エアーフィルター４を交換する場合、新しいエアーフィルター４を筺体１０に設置する際の一連の方法に対応している。
【００７２】
最初に、エアーフィルター４を上述した収納凹部１２に形成されるエアーフィルター受部に設置する。これにより、エアーフィルター４をエアーフィルター受部に簡易的に設置することができる。
【００７３】
次に、吸気ケース６を収納凹部１２に設置する。詳細には、吸気ケース６において、操作部６２５を吸気ケース本体６０の中心方向に向かって押圧し、操作部案内孔６０２内を移動させる。操作部６２５の移動は、コイルばね６２８の付勢力に抗して行う。
【００７４】
操作部６２５を移動させることにより、図５（ｂ）に示すように、ケース保持部６２は、保持部用収納部６００内を摺動する。これにより、係合片案内孔６０１から突出しているケース係合片６２１が、係合片案内孔６０１の内部に移動する。この状態で、図５（ａ）に示すように、吸気ケース６を収納凹部１２に挿入する。そして、操作部６２５の押圧を止める。
【００７５】
なお、吸気ケース６を収納凹部１２に挿入する際、フィルター係合片６３１が、最初に設置されているエアーフィルター４のフィルター枠４２に当接する。フィルター係合片６３１がフィルター枠４２に当接した場合、フィルター係合片６３１が弾性変形することにより、フィルター係合片６３１は、吸気ケース６の挿入に従動して、フィルター枠４２に沿って移動する。
【００７６】
操作部６２５の押圧を止めた場合、コイルばね６２８の付勢力により、ケース保持部６２が初期の位置に戻る。これにより、ケース係合片６２１は、図４（ａ）に示すように、係合片案内孔６０１から突出することで、収納凹部１２に形成される係合片受溝１２１に係合する。この動作により、吸気ケース６が収納凹部１２に装着（保持）される。
【００７７】
なお、吸気ケース６が収納凹部１２に装着された状態において、エアーフィルター４は、収納凹部１２のエアーフィルター受部と、吸気ケース６のフィルター受部６２６とに挟まれる状態となり保持固定される。
【００７８】
エアーフィルター４を保持し、吸気ケース６が収納凹部１２に装着（保持）された状態となった場合、図４（ａ）に示すように、吸気ケース６とエアーフィルター４との間には、空間領域Ｓ２が形成される。詳細には、吸気ケース本体６０の裏面側と、フィルター受部６２６と、エアーフィルター４（フィルター本体４１及びフィルター枠４２）とにより囲まれた空間領域Ｓ２が形成される。
【００７９】
なお、吸気ケース６を筺体１０に装着して、プロジェクター１を動作（使用）した場合、吸気口６１から吸気された外気に含まれる塵埃は、エアーフィルター４（フィルター本体４１）に付着し、プロジェクター１内部には、清浄化された外気が導入される。また、フィルター本体４１に付着しきれない塵埃は、上述した空間領域Ｓ２に集めることができる。
【００８０】
次に、吸気ケース６及びエアーフィルター４を筺体１０の収納凹部１２から取り外す方法に関して説明する。なお、この方法は、エアーフィルター４を交換する場合、エアーフィルター４を筺体１０から取り外す際の一連の方法に対応している。
【００８１】
最初に、図４（ａ）の状態から、吸気ケース６の操作部６２５を吸気ケース本体６０の中心方向に向かって押圧し、操作部案内孔６０２内を移動させる。操作部６２５の移動は、コイルばね６２８の付勢力に抗して行う。
【００８２】
操作部６２５を移動させることにより、図５（ａ）に示すように、ケース保持部６２は、保持部用収納部６００内を摺動する。これにより、係合片案内孔６０１から突出しているケース係合片６２１が、係合片案内孔６０１の内部に移動する。これにより、ケース係合片６２１と係合片受溝１２１との係合が解除される。また、同時に、フィルター係合片６３１は、ケース保持部６２が移動することに従動して移動し、エアーフィルター４のフィルター枠４２に係合してエアーフィルター４を保持した状態となる。
【００８３】
この状態で、吸気ケース６を側面１ｃ方向に移動させることにより、吸気ケース６を収納凹部１２から取り外すことができる。同時に、フィルター係合片６３１により係合されたエアーフィルター４も収納凹部１２から取り外すことができる。
【００８４】
なお、吸気ケース６を収納凹部１２から取り外した後、操作部６２５の押圧を止めた場合、ケース保持部６２はコイルばね６２８の付勢力により、初期の位置に戻る。この動作により、フィルター係合片６３１は、エアーフィルター４との係合を解除することになり、吸気ケース６からエアーフィルター４が分離される。
【００８５】
なお、吸気ケース６を筺体１０から取り外す場合、吸気ケース６は、概ね、筺体１０（側面１ｃ）に対して、垂直方向に取り外すことになる。言い換えると、エアーフィルター４のフィルター面（プリーツ加工したフィルター本体４１を１枚の平らな面を持つフィルターとしてみた場合のその平面）に略垂直方向に、筺体１０から分離される。
【００８６】
上述したエアーフィルター４を筺体１０の収納凹部１２に装着する方法では、最初に、エアーフィルター４を収納凹部１２のエアーフィルター受部（図示省略）に設置している。しかし、エアーフィルター４を筺体１０の収納凹部１２に装着する他の方法として、吸気ケース６にエアーフィルター４を保持させた後、筺体１０に吸気ケース６を設置することもできる。以降に、その方法を簡潔に説明する。
【００８７】
最初に、エアーフィルター４を吸気ケース６のフィルター受部６２６に対応させて設置する。次に、操作部６２５を押圧して吸気ケース本体６０の中心方向に移動させる。これにより、フィルター係合片６３１がフィルター枠４２に係合し、エアーフィルター４が吸気ケース６に保持される。この状態で、吸気ケース６を収納凹部１２に挿入する。そして、操作部６２５の押圧を止めることにより、ケース係合片６２１は、係合片受溝１２１に係合すると共に、フィルター係合片６３１は、エアーフィルター４との係合を解除する。この動作により、エアーフィルター４と吸気ケース６とを同時に筺体１０に装着することができる。
【００８８】
上述した実施形態によれば、以下の効果が得られる。なお、第１実施形態と同様の効果も含めて本実施形態の効果を説明する。
【００８９】
本実施形態のプロジェクター１によれば、エアーフィルター４交換時などにおいて、エアーフィルター４を筺体１０から取り外す際、ケース保持部６２を解除することにより、吸気ケース６を筺体１０から取り外す。吸気ケース６を筺体１０から取り外すことで、同時に、フィルター保持部６３に保持されるエアーフィルター４も筺体１０から取り外すことができる。これにより、エアーフィルター４の取り外しに手間がかからない。その後、取り外した吸気ケース６のフィルター保持部６３（フィルター係合片６３１）からエアーフィルター４を取り外すことができる。従って、エアーフィルター４の交換における利便性を向上させることができる。また、吸気ケース６を筺体１０から取り外すことで、エアーフィルター４も筺体１０から取り外すことができるため、エアーフィルター４に付着した塵埃をプロジェクター１内部に落とすことを低減でき、塵埃の筺体１０内部への侵入を抑制することができる。
【００９０】
本実施形態のプロジェクター１によれば、操作部６２５が付勢部（コイルばね６２８）の付勢力に抗することで、ケース係合部６２０（ケース係合片６２１）を筺体１０との係合から解除させる。併せて、操作部６２５がフィルター係合部６３０（フィルター係合片６３１）をエアーフィルター４に係合させる。これにより、吸気ケース６を筺体１０から取り外した場合、併せてエアーフィルター４も筺体１０から取り外すことができる。また、操作部６２５が付勢部（コイルばね６２８）の付勢力により、ケース係合部６２０（ケース係合片６２１）を筺体１０と係合させる。併せて、操作部６２５がフィルター係合部６３０（フィルター係合片６３１）をエアーフィルター４との係合から解除させる。これにより、吸気ケース６を筺体１０から取り外した場合、操作部６２５の操作を止めることにより、フィルター係合部６３０（フィルター係合片６３１）とエアーフィルター４との係合が外れることで、吸気ケース６からエアーフィルター４を簡単に取り外すことができる。従って、エアーフィルター４の交換における利便性を更に向上させることができる。
【００９１】
本実施形態のプロジェクター１によれば、吸気ケース６は、概ね、筺体１０（側面１ｃ）に対して、垂直方向に取り外すことにより、取り外しに必要なスペースを従来に比較して小さくすることができる。従って、エアーフィルター４の交換の際に必要となるスペースの省スペース化を図ることができる。従って、プロジェクター１を設置する際、吸気ケース６を壁などの障害物の近くに位置させることができ、プロジェクター１の設置場所の自由度の向上を図ることができる。
【００９２】
本実施形態のプロジェクター１によれば、ケース保持部６２は、ケース係合部６２０（ケース係合片６２１）と、操作部６２５と、付勢部としてのコイルばね６２８とを有し構成されている。このように、ケース保持部６２を簡易な構成で実現することができる。また、フィルター保持部６３は、フィルター係合部６３０（フィルター係合片６３１）を備えることでよいため、簡易な構成で実現できる。
【００９３】
本実施形態のプロジェクター１によれば、フィルター保持部６３は、ケース保持部６２と一体に形成されるため、ケース保持部６２の動作に連動して、容易にフィルター保持部６３を動作させることができる。また、部品数の削減やコスト削減に寄与する。
【００９４】
本実施形態のプロジェクター１によれば、吸気ケース６にエアーフィルター４が保持された場合、吸気ケース６とエアーフィルター４との間には、空間領域Ｓ２が形成される。この空間領域Ｓ２により、エアーフィルター４に付着しきれない塵埃や、吸気ケース６を筺体１０から取り外す際に振動などでフィルター本体４１からこぼれる塵埃を空間領域Ｓ２に集めることができ、塵埃をプロジェクター１内部に落とすことを更に低減でき、塵埃の筺体１０内部への侵入を更に抑制することができる。
【００９５】
本実施形態のプロジェクター１によれば、筺体１０内部への塵埃の侵入を抑制できることにより、冷却ファン３０で冷却される例えば光変調装置としての液晶パネル２５２などの表面に塵埃が付着することを防止し、投写される画像に影などが映り込むことや、投写画像のコントラストが低下することなどによる投写画像品質の低下を防止することができる。
【００９６】
なお、上述した実施形態に限定されず、その要旨を逸脱しない範囲において種々の変更や改良などを加えて実施することが可能である。変形例を以下に述べる。
【００９７】
前記第２実施形態のプロジェクター１において、フィルター保持部６３のフィルター係合部６３０（フィルター係合片６３１）は、ケース保持部６２と一体に形成され、操作部６２５の動作に従動して動作する。しかし、これに限られず、フィルター保持部はケース保持部と別体で吸気ケース６に設置し、操作部６２５とも従動せずに常にエアーフィルター４を保持する係合片（第１実施形態でのフィルター係合片５３１と同様）として構成してもよい。
【００９８】
前記第２実施形態のプロジェクター１において、付勢部はコイルばね６２８で構成されているが、これに限られず、各種のばねで構成することができる。例えば、プラスチック材料の弾性力を利用したばねで構成することができる。その場合、付勢部をフィルター保持部６３と一体に形成することもでき、ケース保持部６２を構成する部品数を減らせ、組立て工数を低減することができる。
【００９９】
前記第１、第２実施形態のプロジェクター１において、光学装置２５は、Ｒ光、Ｇ光、Ｂ光に対応する３つの光変調装置を用いるいわゆる３板方式を採用している。しかし、これに限られず、単板方式の光変調装置を採用してもよい。また、コントラストを向上させるための光変調装置を追加して採用してもよい。
【０１００】
前記第１、第２実施形態のプロジェクター１において、光学装置２５は、透過型の光変調装置（透過型の液晶パネル２５２）を採用している。しかし、これに限られず、反射型の光変調装置を採用してもよい。
【０１０１】
前記第１、第２実施形態のプロジェクター１において、光学装置２５は、光変調装置として液晶パネル２５２を採用している。しかし、これに限られず、一般に、入射光束を画像信号に基づいて変調するものであればよく、例えば、マイクロミラー型の光変調装置など、他の方式の光変調装置を採用することができる。なお、マイクロミラー型の光変調装置としては、例えば、ＤＭＤ（Digital Micromirror Device）を採用することができる。
【０１０２】
前記第１、第２実施形態のプロジェクター１において、光学ユニット２は、光源装置２１から射出された光束の照度を均一化する照明光学装置２２として、レンズアレイ２２１，２２２からなるレンズインテグレーター光学系を採用している。しかし、これに限定されるものではなく、導光ロッドからなるロッドインテグレーター光学系も採用することができる。
【０１０３】
前記第１、第２実施形態のプロジェクター１の光学ユニット２において、光源装置２１の光源ランプ２１１は、超高圧水銀ランプなどの放電式ランプを採用しているが、レーザーダイオード、ＬＥＤ（Light Emitting Diode）、有機ＥＬ（Electro Luminescence）素子、シリコン発光素子などの各種固体発光素子を採用してもよい。
【符号の説明】
【０１０４】
１…プロジェクター、４…エアーフィルター、５，６…吸気ケース、１０…筺体、５１，６１…吸気口、５２，６２…ケース保持部、５３，６３…フィルター保持部、５２０，６２０…ケース係合部、５２５，６２５…操作部、５２６，６２６…フィルター受部、５３０，６３０…フィルター係合部、６２８…コイルばね。
【図１】
2012123082.tif 000003
【図２】
2012123082.tif 000004
【図３】
2012123082.tif 000005
【図４】
2012123082.tif 000006
【図５】
2012123082.tif 000007
【図６】
2012123082.tif 000008